(57)【要約】【課題】ダブルオーブン型ＯＣＸＯを用いる場合と同等の周波数安定度を維持しつつ、ダブルオーブン型ＯＣＸＯを用いる場合よりもサイズ及びコストを低減可能な電子機器を提供する。【解決手段】基地局本体部１００は、電子部品（パワーアンプユニット１０１、デジタルユニット１０２、又は電源ユニット１０３）と、シングルオーブン型ＯＣＸＯ１１と、シングルオーブン型ＯＣＸＯ１１と電子部品とを収納する筐体１１０とを備える。筐体１１０には、電子部品が発する熱が伝達される。シングルオーブン型ＯＣＸＯ１１は、筐体１１０に接触した状態で配設される。【選択図】図２
2010263504.tif 000002
【特許請求の範囲】
【請求項１】
電子部品と、
クロック信号を発生させる水晶発振器と、前記水晶発振器を覆う１つの恒温槽とによって構成される恒温槽付水晶発振器と、
前記電子部品と前記恒温槽付水晶発振器とを収納する筐体と
を備え、
前記筐体には、前記電子部品が発する熱が伝達され、
前記恒温槽付水晶発振器は、前記筐体に接触した状態で配設される電子機器。
【請求項２】
前記恒温槽付水晶発振器は、前記筐体において、前記水晶発振器の動作温度範囲内の温度を有する部分に接触した状態で配設される請求項１に記載の電子機器。
【請求項３】
それぞれ動作温度範囲が異なる複数の電子部品を備え、
前記恒温槽付水晶発振器は、前記複数の電子部品のうちで、前記水晶発振器の動作温度範囲と最も動作温度範囲が近い電子部品の近傍に配設される請求項１又は２に記載の電子機器。
【請求項４】
前記恒温槽付水晶発振器は、前記恒温槽付水晶発振器の外表面を構成する複数の面のうちで面積の最も広い面が前記筐体に接触した状態で配設される請求項１〜３の何れか一項に記載の電子機器。
【請求項５】
前記筐体は、前記筐体の外表面に形成された放熱部を有する請求項１〜４の何れか一項に記載の電子機器。
【請求項６】
所定波長の光を放射する光放射部と、
前記光放射部と前記恒温槽付水晶発振器との間に配置され、前記光放射部が放射した光の少なくとも一部を透過させる光透過部と、
前記恒温槽内の温度を検知し、前記検知した温度に応じて前記光透過部における光透過量を制御する制御部と
をさらに備え、
前記恒温槽付水晶発振器は、前記光透過部を透過した光によって加熱される請求項１〜５の何れか一項に記載の電子機器。
【請求項７】
前記光放射部が放射する光は、遠赤外光である請求項６に記載の電子機器。
【発明の詳細な説明】
【技術分野】
【０００１】
本発明は、水晶発振器を具備する電子機器に関する。
【背景技術】
【０００２】
一般的に、通信機器等の電子機器は、クロック信号を生成する水晶発振器（ＸＯ）と、当該クロック信号を用いて動作する電子部品とを具備する。
【０００３】
水晶発振器は、温度が変化するとクロック信号の周波数が変化する特性（周波数温度特性）を持つ。このため、安定したクロック信号が要求される電子機器においては、恒温槽付水晶発振器（以下、ＯＣＸＯ）が用いられる。ＯＣＸＯは、温度の安定した恒温槽内に水晶発振器を収納したものである。恒温槽は熱線を有し、当該熱線を用いて恒温槽の温度が目標温度になるように制御される。
【０００４】
近年では、さらに高精度なクロック信号が必要とされており、このような要求に応えるために、ダブルオーブン型ＯＣＸＯが提供されている（例えば、特許文献１参照）。ダブルオーブン型ＯＣＸＯは、水晶発振器を内側の恒温槽で覆うとともに、当該内側の恒温槽を外側の恒温槽でさらに覆ったものである。ダブルオーブン型ＯＣＸＯは、恒温槽が１つのみであるシングルオーブン型ＯＣＸＯと比較して、精度の高いクロック信号を生成できる。
【先行技術文献】
【特許文献】
【０００５】
【特許文献１】特開２００５−１１７１８９号公報（第１２図）
【発明の概要】
【発明が解決しようとする課題】
【０００６】
しかしながら、ダブルオーブン型ＯＣＸＯには、次のような問題がある。具体的には、ダブルオーブン型ＯＣＸＯは、クロック信号の周波数安定度が高いものの、シングルオーブン型ＯＣＸＯと比較してサイズ及びコストが大きい。
【０００７】
したがって、ダブルオーブン型ＯＣＸＯを用いる場合、シングルオーブン型ＯＣＸＯを用いる場合と比較して、電子機器のサイズ及びコストが増大する問題があった。
【０００８】
そこで、本発明は、ダブルオーブン型ＯＣＸＯを用いる場合と同等の周波数安定度を維持しつつ、ダブルオーブン型ＯＣＸＯを用いる場合よりもサイズ及びコストを低減可能な電子機器を提供することを目的とする。
【課題を解決するための手段】
【０００９】
上述した課題を解決するために、本発明は以下のような特徴を有している。まず、本発明の第１の特徴は、電子部品（例えば、パワーアンプユニット１０１、デジタルユニット１０２、又は電源ユニット１０３）と、クロック信号を発生させる水晶発振器（水晶発振器１１ａ）と、前記水晶発振器を覆う１つの恒温槽（恒温槽１１b）とによって構成される恒温槽付水晶発振器（シングルオーブン型ＯＣＸＯ１１）と、前記電子部品と前記恒温槽付水晶発振器とを収納する筐体（筐体１１０）とを備え、前記筐体には、前記電子部品が発する熱が伝達され、前記恒温槽付水晶発振器は、前記筐体に接触した状態で配設される電子機器（例えば、基地局本体部１００）であることを要旨とする。
【００１０】
このような電子機器によれば、恒温槽が１つである恒温槽付水晶発振器（すなわち、シングルオーブン型ＯＣＸＯ）は、電子部品が発する熱が伝達される筐体に接触した状態で配設され、筐体によって加温される。
【００１１】
これにより、ダブルオーブン型ＯＣＸＯにおける外側の恒温槽と同様な働きを筐体にさせることができ、ダブルオーブン型ＯＣＸＯを用いる場合と同等の周波数安定度をシングルオーブン型ＯＣＸＯにより実現できる。また、ダブルオーブン型ＯＣＸＯを用いる場合よりもサイズ及びコストを低減できる。
【００１２】
本発明の第２の特徴は、本発明の第１の特徴に係り、前記恒温槽付水晶発振器は、前記筐体において、前記水晶発振器の動作温度範囲内の温度を有する部分（恒温部分１１０a）に接触した状態で配設されることを要旨とする。
【００１３】
本発明の第３の特徴は、本発明の第１又は第２の特徴に係り、それぞれ動作温度範囲が異なる複数の電子部品（例えば、パワーアンプユニット１０１、デジタルユニット１０２、及び電源ユニット１０３）を備え、前記恒温槽付水晶発振器は、前記複数の電子部品のうちで、前記水晶発振器の動作温度範囲と最も動作温度範囲が近い電子部品（例えば、電源ユニット１０３）の近傍に配設されることを要旨とする。
【００１４】
本発明の第４の特徴は、本発明の第１〜第３の何れかの特徴に係り、前記恒温槽付水晶発振器は、前記恒温槽付水晶発振器の外表面を構成する複数の面のうちで面積の最も広い面（例えば、下面１１ｃ）が前記筐体に接触した状態で配設されることを要旨とする。
【００１５】
本発明の第５の特徴は、本発明の第１〜第４の何れかの特徴に係り、前記筐体は、前記筐体の外表面に形成された放熱部（放熱フィン１１１）を有することを要旨とする。
【００１６】
本発明の第６の特徴は、本発明の第１〜第５の何れかの特徴に係り、所定波長の光を放射する光放射部（光放射部１３）と、前記光放射部と前記恒温槽付水晶発振器との間に配置され、前記光放射部が放射した光の少なくとも一部を透過させる光透過部（例えば、液晶パネル１４）と、前記恒温槽内の温度を検知し、前記検知した温度に応じて前記光透過部における光透過量を制御する制御部（温度センサ１５、コントローラ１６）とをさらに備え、前記恒温槽付水晶発振器は、前記光透過部を透過した光によって加熱されることを要旨とする。
【００１７】
本発明の第７の特徴は、本発明の第６の特徴に係り、前記光放射部が放射する光は、遠赤外光であることを要旨とする。
【発明の効果】
【００１８】
本発明によれば、ダブルオーブン型ＯＣＸＯを用いる場合と同等の周波数安定度を維持しつつ、ダブルオーブン型ＯＣＸＯを用いる場合よりもサイズ及びコストを低減可能な電子機器を提供できる。
【図面の簡単な説明】
【００１９】
【図１】本発明の第１実施形態に係る通信システムの全体概略構成図である。
【図２】本発明の第１実施形態に係る基地局本体部（電子機器）の内部構成を示す図である。
【図３】本発明の第１実施形態に係るシングルオーブン型ＯＣＸＯの概略構成図である。
【図４】本発明の第２実施形態に係る基地局本体部（電子機器）の内部構成を示す図である。
【図５】本発明の第２実施形態に係るクロック信号生成装置の構成を示す側面図である。
【図６】本発明の第２実施形態に係るクロック信号生成装置の構成を示す分解斜視図である。
【図７】本発明の第２実施形態に係るクロック信号生成装置の制御系の構成を示す機能ブロック図である。
【図８】その他の実施形態に係るクロック信号生成装置の構成を示す側面図である。
【発明を実施するための形態】
【００２０】
次に、図面を参照して、本発明の第１実施形態、第２実施形態、及びその他の実施形態を説明する。以下の実施形態における図面の記載において、同一又は類似の部分には同一又は類似の符号を付している。
【００２１】
ただし、図面は模式的なものであり、各寸法の比率などは現実のものとは異なることに留意すべきである。したがって、具体的な寸法などは以下の説明を参酌して判断すべきものである。また、図面相互間においても互いの寸法の関係や比率が異なる部分が含まれていることは勿論である。
【００２２】
［第１実施形態］
第１実施形態においては、（１）全体概略構成、（２）基地局本体部の構成、（３）作用効果について説明する。
【００２３】
（１）全体概略構成
図１は、本実施形態に係る通信システムの全体概略構成図である。
【００２４】
図１に示す通信システムは、無線基地局１と、無線通信端末２とを有する。無線基地局１は、無線通信端末２との無線通信を行う。無線基地局１は、例えば電柱やビル壁面等に設置される小型基地局である。
【００２５】
無線基地局１は、アンテナ部１０５と、基地局本体部１００（電子機器）とを有する。アンテナ部１０５と基地局本体部１００とは、ケーブル１９０を介して接続される。基地局本体部１００は、電柱やビル壁面等に設置できるように小型・軽量に構成される。
【００２６】
（２）基地局本体部の構成
図２は、本発明の電子機器の実施形態である基地局本体部１００の内部構成を示す図である。ただし、各電子部品間を接続する配線等、本発明に関連しない構成を省略している。
【００２７】
図２に示すように、基地局本体部１００は、筐体１１０と、パワーアンプユニット１０１と、デジタルユニット１０２と、電源ユニット１０３と、シングルオーブン型ＯＣＸＯ１１とを有する。
【００２８】
パワーアンプユニット１０１と、デジタルユニット１０２と、電源ユニット１０３と、シングルオーブン型ＯＣＸＯ１１とは、筐体１１０に収納されている。筐体１１０は、略直方体形状を有し、金属又は樹脂等により形成される。
【００２９】
筐体１１０の外表面には、筐体１１０内の各電子部品（パワーアンプユニット１０１、デジタルユニット１０２、電源ユニット１０３等）が発生する熱を外部に放出するための放熱フィン１１１（放熱部）が形成されている。放熱フィン１１１は、筐体１１０の外側に向けて延びる複数の板状部分を有する。
【００３０】
各電子部品（パワーアンプユニット１０１、デジタルユニット１０２、電源ユニット１０３等）は、熱を発生している。筐体１１０には、各電子部品（パワーアンプユニット１０１、デジタルユニット１０２、電源ユニット１０３等）が発する熱が伝達される。筐体１１０に伝達された熱は、筐体１１０の外表面（放熱フィン１１１等）から外気中に放出される。このように、基地局本体部１００の筐体１１０は、温度管理が図られており、比較的温度が安定している。
【００３１】
パワーアンプユニット１０１は、アナログ回路として構成される。パワーアンプユニット１０１は、パワーアンプ及びフィルタ回路等を含み、主に無線信号の増幅処理を行う。
【００３２】
デジタルユニット１０２は、デジタル回路として構成され、各種の信号処理を行う。デジタルユニット１０２は、ＤＳＰ、ＦＰＧＡ、ＭＰＵ等を含む。デジタルユニット１０２は、シングルオーブン型ＯＣＸＯ１１からのクロック信号に同期して動作する。
【００３３】
電源ユニット１０３は、アナログ回路として構成され、パワーアンプユニット１０１やデジタルユニット１０２等に電力を供給する。
【００３４】
シングルオーブン型ＯＣＸＯ１１は、デジタルユニット１０２等に供給されるクロック信号を生成する。シングルオーブン型ＯＣＸＯ１１は、略直方体形状を有する。
【００３５】
シングルオーブン型ＯＣＸＯ１１の概略構成を図３に示す。シングルオーブン型ＯＣＸＯ１１は、水晶発振器１１ａと、水晶発振器１１ａを覆う恒温槽１１bとを有する。水晶発振器１１ａは、水晶振動子と発振回路とを有する。
【００３６】
図２の例において、電源ユニット１０３は、筐体１１０内側の下部に位置する。電源ユニット１０３は、筐体１１０の底壁に直接取り付けられている。
【００３７】
パワーアンプユニット１０１は、筐体１１０内側の上部に位置する。パワーアンプユニット１０１は、筐体１１０の上壁に直接取り付けられている。
【００３８】
デジタルユニット１０２は、筐体１１０内側の中央部に位置する。デジタルユニット１０２は、パワーアンプユニット１０１に取り付けられている。
【００３９】
シングルオーブン型ＯＣＸＯ１１は、筐体１１０内側の下部に位置する。シングルオーブン型ＯＣＸＯ１１を筐体１１０に接触した状態で配設される。具体的には、電源ユニット１０３に隣接して、筐体１１０の底壁に直接取り付けられている。筐体１１０へのシングルオーブン型ＯＣＸＯ１１の取り付け方法としては、例えば、接着剤等による接着、又は、締結部材による締結といった方法が使用できる。
【００４０】
シングルオーブン型ＯＣＸＯ１１は、筐体１１０において、水晶発振器１１ａの動作温度範囲内の温度を有する恒温部分１１０aに接触した状態で配設される。恒温部分１１０aは、常時動作する電源ユニット１０３の近傍に位置しており、筐体１１０の中でも、最も温度変化が少ない部分である。
【００４１】
図２の例では、シングルオーブン型ＯＣＸＯ１１は、シングルオーブン型ＯＣＸＯ１１の外表面を構成する複数の面のうちで面積の最も広い下面１１ｃ（図３参照）が筐体１１０に接触した状態で配設される。
【００４２】
また、各電子部品（パワーアンプユニット１０１、デジタルユニット１０２、電源ユニット１０３等）のうちで、シングルオーブン型ＯＣＸＯ１１の動作温度範囲（又は目標温度）と最も動作温度範囲が近い電子部品の近傍に、シングルオーブン型ＯＣＸＯ１１を配設することが好ましい。電源ユニット１０３の動作温度範囲は、水晶発振器１１ａの動作温度範囲内であるものとしている。水晶発振器１１ａの動作温度範囲は、水晶発振器１１ａの仕様上定められており、例えば６０℃〜７０℃程度である。
【００４３】
（３）作用効果
シングルオーブン型ＯＣＸＯ１１は、電子部品（パワーアンプユニット１０１、デジタルユニット１０２、電源ユニット１０３等）が発する熱が伝達される筐体１１０に接触した状態で配設され、筐体１１０によって加温される。また、シングルオーブン型ＯＣＸＯ１１は、筐体１１０において、水晶発振器１１ａの動作温度範囲内の温度を有する恒温部分１１０aに接触した状態で配設される。
【００４４】
これにより、ダブルオーブン型ＯＣＸＯにおける外側の恒温槽と同様な働きを筐体１１０にさせることができ、ダブルオーブン型ＯＣＸＯを用いる場合と同等の周波数安定度をシングルオーブン型ＯＣＸＯ１１により実現できる。また、ダブルオーブン型ＯＣＸＯを用いる場合よりもサイズ及びコストを低減できる。
【００４５】
本実施形態では、シングルオーブン型ＯＣＸＯ１１は、複数の電子部品（パワーアンプユニット１０１、デジタルユニット１０２、電源ユニット１０３等）のうちで、水晶発振器１１ａの動作温度範囲と最も動作温度範囲が近い電子部品（例えば、電源ユニット１０３）の近傍に配設される。これにより、筐体１１０によってシングルオーブン型ＯＣＸＯ１１の温度を一定に保つ効果をさらに得ることができる。
【００４６】
また、無線基地局１（基地局本体部１００）は、基本的に常時稼動しているため、筐体１１０によってシングルオーブン型ＯＣＸＯ１１の温度を一定に保つ効果を常に得ることができる。
【００４７】
本実施形態では、シングルオーブン型ＯＣＸＯ１１は、シングルオーブン型ＯＣＸＯ１１の外表面を構成する複数の面のうちで面積の最も広い下面１１ｃが筐体１１０に接触した状態で配設される。このため、筐体１１０からの熱が効率よくシングルオーブン型ＯＣＸＯ１１に伝達される。
【００４８】
［第２実施形態］
図４は、第２実施形態に係る基地局本体部１００の内部構成を示す図である。第２実施形態は、シングルオーブン型ＯＣＸＯ１１を用いたクロック信号生成装置１０を具備する点で第１実施形態とは異なる。
【００４９】
（１）クロック信号生成装置の構成
図５は、クロック信号生成装置１０の構成を示す側面図である。図６は、クロック信号生成装置１０の構成を示す分解斜視図である。
【００５０】
図５及び図６に示すように、クロック信号生成装置１０は、光放射部１３と、液晶パネル１４と、シングルオーブン型ＯＣＸＯ１１とを有する。
【００５１】
本実施形態において光放射部１３は、波長が3μｍ〜1000μｍ程度の光である遠赤外光（遠赤外線）を放射する。遠赤外光は、液晶パネル１４を介してシングルオーブン型ＯＣＸＯ１１に入射され、シングルオーブン型ＯＣＸＯ１１により吸収されて熱エネルギーに変わる。
【００５２】
光放射部１３は、周囲の熱エネルギーを遠赤外光に変換する材料を用いて構成されている。例えば、セラミックス材料は、加熱されることにより表面温度が高くなると、遠赤外エネルギーを多く放射するため、光放射部１３の材料として好適である。なお、光放射部１３は、薄く形成することが可能であり、シート状の形状等であってもよい。
【００５３】
液晶パネル１４は、光放射部１３とシングルオーブン型ＯＣＸＯ１１との間に配置される。液晶パネル１４には、光放射部１３からの遠赤外光が入射される。液晶パネル１４は、光放射部１３からの遠赤外光の少なくとも一部を透過させる。本実施形態において液晶パネル１４は、光透過部を構成する。
【００５４】
液晶パネル１４は、例えば透過型の液晶パネルであり、偏光フィルタと液晶層とを有する。液晶層に電圧が印加されると、液晶分子の配向が変化し、透過する光の量（以下、光透過量）が変化する。また、液晶パネル１４は、光透過量をゼロとする（すなわち、光を全て遮断する）こともできる。
【００５５】
シングルオーブン型ＯＣＸＯ１１は、液晶パネル１４を透過した遠赤外光によって加熱される。このため、光放射部１３が放射する遠赤外光の波長は、シングルオーブン型ＯＣＸＯ１１の表面部材の固有振動数に一致するような値とすることが好ましい。
【００５６】
光放射部１３、液晶パネル１４、及びシングルオーブン型ＯＣＸＯ１１のそれぞれは、平板状に形成されている。また、光放射部１３、液晶パネル１４、及びシングルオーブン型ＯＣＸＯ１１のそれぞれの厚さ方向が一致する状態で、厚さ方向に並んで配設される。例えば、光放射部１３、液晶パネル１４、及びシングルオーブン型ＯＣＸＯ１１は、接着剤による接着、又は、締結部材による締結といった方法で、互いに連結されている。
【００５７】
図７は、クロック信号生成装置１０の制御系の構成を示す機能ブロック図である。
【００５８】
クロック信号生成装置１０は、図５及び図６に示した光放射部１３、液晶パネル１４、及びシングルオーブン型ＯＣＸＯ１１に加え、図７に示すように、温度センサ１５及びコントローラ１６を有する。本実施形態において温度センサ１５及びコントローラ１６は、光透過部（液晶パネル１４）における光透過量を制御する制御部を構成する。
【００５９】
温度センサ１５は、シングルオーブン型ＯＣＸＯ１１の温度を検知する。温度センサ１５は、小型の素子であり、シングルオーブン型ＯＣＸＯ１１の内部又はシングルオーブン型ＯＣＸＯ１１の周辺に設けられる。
【００６０】
コントローラ１６は、温度センサ１５が検知した温度に応じて、液晶パネル１４に印加する電圧を制御することで、液晶パネル１４における光透過量を制御する。コントローラ１６は、小型の回路であり、例えば、光放射部１３の周辺、液晶パネル１４の周辺、又は、シングルオーブン型ＯＣＸＯ１１の周辺に設けられる。あるいは、コントローラ１６は、シングルオーブン型ＯＣＸＯ１１の内部、又は、液晶パネル１４の内部に設けられる。なお、コントローラ１６は、デジタルユニット１０２内のＭＰＵ等を用いて構成されてもよい。
【００６１】
温度センサ１５が検知する温度が目標温度に達していない場合、コントローラ１６は、温度センサ１５が検知する温度と目標温度との差に比例する光透過量となるように液晶パネル１４を制御する。温度センサ１５が検知する温度が目標温度に達した場合、コントローラ１６は、液晶パネル１４を制御して光透過量を低下させる。
【００６２】
このようなフィードバック制御により、シングルオーブン型ＯＣＸＯ１１が目標温度（動作温度範囲内）に保たれる。
【００６３】
（２）作用効果
本実施形態によれば、遠赤外光を用いて直接的にシングルオーブン型ＯＣＸＯ１１を加熱できる。遠赤外光の特徴は、熱効率が高く加熱が速いことである。このため、起動開始から直ちにシングルオーブン型ＯＣＸＯ１１を目標温度にすることができ、シングルオーブン型ＯＣＸＯ１１が発生させるクロック信号の周波数安定度を高めることができる。
【００６４】
さらに、熱エネルギーを遠赤外光に変換する材料を用いて光放射部１３を構成することによって、筐体１１０内部の熱を効率的に利用することができる。
【００６５】
また、クロック信号生成装置１０によれば、光放射部１３と液晶パネル１４とシングルオーブン型ＯＣＸＯ１１とを並べたシンプルな構造であるため、２重の恒温槽で水晶発振器を覆うダブルオーブン型ＯＣＸＯよりも小型化を図ることができる。また、近年では、超小型の液晶パネルが開発されており、そのような液晶パネルを利用することでクロック信号生成装置１０をさらに小型化できる。
【００６６】
特に、小型の基地局本体部１００においては、サイズの大きい汎用のダブルオーブン型ＯＣＸＯをクロック信号源として用いることが困難であり、ダブルオーブン型ＯＣＸＯに代えてクロック信号生成装置１０を用いることで、基地局本体部１００の小型化を図ることができる。
【００６７】
［第２実施形態の変更例１］
上述した第２実施形態では、遠赤外光（遠赤外線）を放射する光放射部１３について説明したが、遠赤外光に限らず、波長が3μｍ未満の近赤外光や可視光を使用してもよい。
【００６８】
また、光放射部１３としてＬＥＤ等のオン／オフ可能な光源を用いる場合、コントローラ１６は、光放射部１３のオン／オフをさらに制御してもよい。
【００６９】
［第２実施形態の変更例２］
上述した第２実施形態では、光透過部として液晶パネル１４を用いていたが、液晶パネル１４に代えて、機械式の絞り機構を用いてもよい。
【００７０】
絞り機構とは、小型のアクチュエータにより、光が透過（通過）する開口部の開口率を変更可能な機構であり、カメラ等に用いられている。このような絞り機構を用いることで、光透過部をさらに小型化可能である。
【００７１】
あるいは、図８に示すように、光透過部として透過率可変レンズ１４０を用いてもよい。この場合、透過率可変レンズ１４０に紫外光（紫外線）を放射する光放射部２０を別途設ける必要がある。光放射部２０による光放射量は、コントローラ１６によって制御される。
【００７２】
透過率可変レンズ１４０は、例えばハロゲン化銀を含むレンズであり、紫外線に反応して着色し、紫外線がなくなると退色する。このため、光放射部２０による光放射量を増やすほど透過率可変レンズ１４０における光透過量が少なくなり、光放射部２０による光放射量を減らすほど透過率可変レンズ１４０における光透過量が多くなる。このような構成によれば、液晶パネルや絞り機構を用いる場合よりも、光透過部を安価に構成できると考えられる。
【００７３】
［その他の実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００７４】
上述した実施形態では、シングルオーブン型ＯＣＸＯ１１が、電源ユニット１０３の近傍に位置していたが、図１に示した通信システムにおける複信方式がＦＤＤ方式である場合にはパワーアンプユニット１０１も常時動作するため、シングルオーブン型ＯＣＸＯ１１をパワーアンプユニット１０１の近傍に配設してもよい。
【００７５】
また、本発明の電子機器の実施形態として基地局本体部１００を例に説明したが、基地局本体部１００に限らず、ＯＣＸＯを必要とする電子機器であれば、本発明を適用可能である。
【００７６】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００７７】
１…無線基地局、２…無線通信端末、１０…クロック信号生成装置、１１…シングルオーブン型ＯＣＸＯ、１１ａ…水晶発振器、１１b…恒温槽、１１ｃ…下面、１３…光放射部、１４…液晶パネル、１５…温度センサ、１６…コントローラ、２０…光放射部、１００…基地局本体部、１０１…パワーアンプユニット、１０２…デジタルユニット、１０３…電源ユニット、１０５…アンテナ部、１１０…筐体、１１０ａ…恒温部分、１１１…放熱フィン、１４０…透過率可変レンズ、１９０…ケーブル
【図１】
2010263504.tif 000003
【図２】
2010263504.tif 000004
【図３】
2010263504.tif 000005
【図４】
2010263504.tif 000006
【図５】
2010263504.tif 000007
【図６】
2010263504.tif 000008
【図７】
2010263504.tif 000009
【図８】
2010263504.tif 000010